(57)【要約】  【課題】  耳垢を押し込まずに外耳を傷付けずに優しくとれる耳掻き具を提供する。  【解決手段】  皮膜状の作用部を布状の被覆材を布状被覆材とし、前記布状被覆材で芯材を覆い、前記布状被覆材の合わせ目の周辺を封じ、封じ部を形成した。また、封じ部は縫合や接着や溶着のいずれか、又はこれらの組合せとした耳掻き具。【選択図】  図１
2016202344.tif 000002
【特許請求の範囲】
【請求項１】
芯材と拭い取る作用部を有する耳掻き具において、
前記拭い取る作用部を布状の被覆材を布状被覆材とし、
前記布状被覆材で芯材を覆う様に、
前記布状被覆材の合わせ目を封じることで封じ部を形成し、
少なくとも末端付近に平面状の耳掻き部を形成し、
袋状被覆体とした
ことを特徴とする耳掻き具。
【請求項２】
請求項１に記載の耳掻き具において、
前記封じ部を、縫合や接着や溶着のいずれか、又はこれらの組合せで封じた
ことを特徴とする耳掻き具。
【請求項３】
請求項１又は２に記載の耳掻き具において、
前記袋状被覆体は、二枚の布状被覆材を合わせて、または、
布状被覆材を折返して、合わせ目を封じた
ことを特徴とする耳掻き具。
【請求項４】
請求項１〜３のいずれか一項に記載の耳掻き具において、
封じ部の周辺の一部または、全体を内側に折り返した
ことを特徴とする耳掻き具。
【請求項５】
請求項１〜４のいずれか一項に記載の耳掻き具において、
布状被覆材の一端を芯材に固定止めした
ことを特徴とする耳掻き具。
【請求項６】
請求項１〜５のいずれか一項に記載の耳掻き具において、
布状被覆材をマイクロファイバーや紙や不織布、または、これらの組合せとした
ことを特徴とする耳掻き具。
【請求項７】
請求項１〜６のいずれか一項に記載の耳掻き具において、
布状被覆材の両端を互いに反対方向にねじった
ことを特徴とする耳掻き具。
【発明の詳細な説明】
【技術分野】
【０００１】
本発明は、耳掻き具に関する。
【背景技術】
【０００２】
耳を掃除するのに綿棒が用いられることがある。一般に綿棒は、軸棒に綿繊維を塊状に巻き付けて形成され、耳の掃除や医療用具、精密機械の清掃用具などに幅広く使用されている。耳掻きに使用する綿棒は綿繊維を繭型の塊状に丸めているため、耳掃除をする際に、耳垢を奥に押し込んでしまう事がある。これを繰り返し続けることで、耳垢栓塞を起こす事も有る。
【０００３】
一方、通常の耳掻きは、先端が肌より固いため外耳に傷を付けてしまう事が有る。また、粉状の耳垢を取るのが難しい。このため羽毛を棒の先に球状に取り付けた梵天等が有る。しかしながら梵天は耳孔より大きいために、これも又耳垢を奥に押し込めかねない。
【０００４】
特許文献１に記載の耳掻によれば、耳清掃部をループ状のワイヤにより形成し、外周にシート状の織布又は不織布又は紙又は綿又はゴムを巻紙として、巻紙を捲着させた巻紙部を備えたことを特徴とする耳清掃具が開示されている。
【０００５】
また、特許文献２には、発明の目的として、「高い吸水性を確保しつつ拭き取り性能をさらに高めた綿棒を提供する」もので、「軸棒１の端部に取り付けられた綿塊部２をマイクロファイバーで形成された布体３で被覆する。前記布体は、マイクロファイバー生地を超音波溶着により袋状に形成したものを裏返して用いられ、当該裏返された布体が前記綿塊部に被せられる。」精密機器清掃用の綿棒が開示されている。
【先行技術文献】
【特許文献】
【０００６】
【特許文献１】実用新案登録第３１６１０２８号公報
【特許文献２】特開２０１０−４１０号公報
【発明の概要】
【発明が解決しようとする課題】
【０００７】
しかし、特許文献１に記載されている耳清掃具においては、ワイヤに巻紙を捲着しなければならず面倒であると共に、巻紙が上手く巻けていないと解けてしまうことも発生する。
【０００８】
また、特許文献２に記載されている綿棒は、綿塊部２をマイクロファイバーで形成された布体３で被覆したもので、綿塊部２に覆う為に、綿棒の先端形状は従来の綿棒と同じ様に、略半球形を形成し、前記で記載した様に、綿棒の先で耳垢を押し込んでしまう事になる。さらに、布体を裏返す事で、益々先端を半球形に形成しやすい。また、固定具４で取り付けるため、手間が掛かり高価となりやすく、さらには、固定部４が剥がれるおそれがある。
【０００９】
本発明の目的は、耳の中へ耳垢を押し込まずに、簡単に優しく傷を付けず、掻き出せる耳掻きであって、粉耳も綺麗に掃除することのできる安価で安心な耳掻き具を提供することにある。
【課題を解決するための手段】
【００１０】
そこで、上記課題を解決するために、本発明に係る耳掻き具は、芯材と拭い取る作用部を有する耳掻き具において、前記拭い取る作用部を布状の被覆材を布状被覆材とし、前記布状被覆材で芯材を覆う様に、前記布状被覆材の合わせ目を封じることで封じ部を形成し、少なくとも末端付近に平面状の耳掻き部を形成し、袋状被覆体とした。
【００１１】
また、前記封じ部を、縫合や接着や溶着のいずれか、又はこれらの組合せで封じてもよい。
【００１２】
また、前記袋状被覆体は、二枚の布状被覆材を合わせて、または、布状被覆材を折返して、合わせ目を封じてもよい。
【００１３】
また、封じ部の周辺の一部または、全体を内側に折り返してもよい。
【００１４】
また、布状被覆材の一端を芯材に固定止めしてもよい。
【００１５】
また、布状被覆材をマイクロファイバーや紙や不織布、または、これらの組合せとしてもよい。
【００１６】
また、布状被覆材の両端を互いに反対方向にねじってもよい。
【発明の効果】
【００１７】
本発明によれば、耳の中の耳垢を押し込まずに、簡単に優しく傷を付けず耳を痛めること無く清潔に耳の掃除をすることができる耳掻き具を提供することができる。
【図面の簡単な説明】
【００１８】
【図１】第１の実施の形態に係る耳掻き具の平面図と正面図と断面図である。
【図２】第１の実施の形態の変形例１に係る耳掻き具の平面図と正面図と断面図である。
【図３】第１の実施の形態の変形例２に係る耳掻き具の平面図と正面図と断面図である。
【図４】第２の実施の形態に係る耳掻き具の平面図と正面図である。
【図５】第２の実施の形態の変形例１に係る耳掻き具の平面図と正面図と側面図である。
【図６】第３の実施の形態に係る耳掻き具の斜視図である。
【図７】本発明に係る耳掻き具の他の例を示す図である。
【発明を実施するための形態】
【００１９】
＜第１の実施形態＞
図１は、本発明の第１の実施の形態に係る耳掻き具の一例を示す図である。
【００２０】
耳掻き具１は、芯材２の周囲を布状被覆材３で覆い、封じ糸５で周囲を縫合し、袋状被覆体４としたものを示す。袋状被覆体４の末端付近には封じ部６を形成した耳垢を掻き出す耳掻き部１０が形成される。
【００２１】
図１（ａ）は平面図、図１（ｂ）は正面図、図１（ｃ）は断面図の一例である。袋状被覆体４は２枚の布で形成され、周囲は内側に折返し封じ糸５で封じられ封じ部６を形成していることを示す。周囲を内側に折返す事で、角が無く柔らかい感触を得ることができる。
【００２２】
封じ部６は袋状被覆体４の周囲および、末端付近に平面状に平面部を形成することで、耳掻き部１０が形成される。耳掻き部１０は耳掻き具１に平面部を形成するために、例えば外耳道内で回転させることで、外耳道壁周辺の耳垢を掻き出す。又、先端部で掻き出すことで、従来の綿棒の先端が半球形の綿棒と異なり、耳垢を奥に押し込まずに掻き出す事ができる。
【００２３】
図１（ｄ）には、他の一例の断面を示し、袋状被覆体４の周囲は上記図１（ｃ）と異なり内側に折り返されていない例を示す。
【００２４】
布状被覆材３は、例えばマイクロファイバーや不織布や合成繊維や和紙等、または、これらの組合せとし、ここでは例えばマイクロファイバーを使用する。マイクロファイバーは発塵性がなく、拭き取り性能が高い為、粉状の耳垢を掻き取るのに適している。例えば、厚さは０．２ｍｍから１ｍｍ、好ましくは０．３ｍｍ〜０．５ｍｍとする。横幅は例えば、３ｍｍ〜７ｍｍ、好ましくは４ｍｍから５ｍｍとする。マイクロファイバーの繊維の太さは、例えば、２から１０ミクロンとする。
【００２５】
芯材２は紙、木、プラスチック、又はアルミニュームなどの金属で有り、径は、例えば、１．３ｍｍから３ｍｍである。長さは、例えば、６ｃｍから１５ｃｍ、好ましくは８ｃｍから９ｃｍとする。また、断面形状は、丸や、四角、角の取れた四角や長方形、又、これらとの組合せでも良く、全体に渡り同一形状でなく、例えば、中心付近は丸で、両端付近は平らでも良い。平らにすることで、先端部付近をより一層耳掻き部１０が平面状に形成される。
【００２６】
また、ここでは、布状被覆材３で覆い、封じ糸５で周囲を縫い合わせたものを示すが、布状被覆材３で覆い、超音波溶着機で溶着しても良い。さらには、接着剤により接着しても良い。
【００２７】
また、ここでは、２枚の布状被覆材３を縫い合わせて袋状被覆体４としたが、３枚の布状被覆材３をそれぞれ、例えば均一幅にし断面を三角状に縫い合わせても良いものであり、布状被覆材３の組み合わせ枚数や、それぞれの形状は問わず、末端付近が平面状に耳掻き部１０が構成されれば良いものである。
【００２８】
また、布状被覆材３に、内側にフェルト材外側にマイクロファイバーを接合した被覆材を布状被覆材３として使用するなど、布状被覆材３は合成、張り合わせした布状体としても良い。これにより内部が柔らかく弾力が有り、吸水性を向上させる効果を高める事ができる。
【００２９】
以下、上述の実施形態と同様の構成を有するものについては同様の符号を付し、詳細な説明は省略する。
【００３０】
＜第１の実施形態の変形例１＞
図２は、本発明の第１の実施形態の変形例１を示し、図２（ａ）は平面図、図２（ｂ）は正面図、図２（ｃ）は断面図を示す。
【００３１】
袋状被覆体４は一枚の布状の布状被覆材３を折り返し、解放面を封じた例を示す。ここでは、平面図で左右と下側を封じ糸５で封じた状態を示す。袋状被覆体４は図２（ｃ）に示すように、端面を折り返している。連続した筒状に縫い上げた四つ折り布状被覆体３を芯材２に合わせて切断し、芯材２を入れ両端を封じてもよいものである。
【００３２】
また、ここでは、芯材２を袋状被覆体４から取り出せる取り出し穴９を設けてある。袋状被覆体４は伸縮性を持たせることで、伸ばしながら芯材２を図２（ｄ）に示すように取り出すことを可能とする。これにより、芯材２を取り出して、袋状被覆体４を洗濯、洗浄する事が容易になる。また、袋状被覆体４を交換し、芯材２を使いまわしすることもできる。この様に、必ずしも、袋状被覆体４の周囲全てを封じ無くとも良い。
【００３３】
＜第１の実施形態の変形例２＞
図３は、本発明の第１の実施形態の変形例２を示す図である。
【００３４】
袋状被覆体４は二枚の布状被覆体３の周辺を接着して封じた例を示す。溶着時に中心付近を芯材２と布状被覆材３とを溶着し貼り付けても良い。溶着箇所は接着でも良い。
【００３５】
また、芯材２の先端付近に緩衝物や吸収性を向上させる目的などで、緩衝部８として脱脂綿等を巻き付け封入したものを示す。
【００３６】
＜第２の実施形態＞
図４は、本発明の第２の実施の形態に係る耳掻き具の一例を示す図である。
【００３７】
布状被覆材３は芯材２の先端側部を覆い、芯材２とは止め部７で接着して固定止めし、封じている。ここでは、接着をしているが、糸などで縛って固定、または、芯材２と溶着をしても良い。
【００３８】
芯材２に段差をつけるなどをしても良い。また、両端は同一の形をしているが、必ずしも同じ形状でなくても良い。
【００３９】
＜第２の実施形態の変形例１＞
図５は、本発明の第２の実施形態の変形例１を示す図である。
【００４０】
袋状被覆体４は芯材２の先端側部を覆い、芯材２とは止め部７で接着して封じている。この際、袋状被覆体４は芯材２に密着して接合させると共に、封じ部６で周囲を広めに形成したものを示す。密着は、接着材や溶着などにより、二枚の布状被覆材３を平面で接合し形成する。
【００４１】
また、この際に、内側にフェルト材外側にマイクロファイバーを接合した被覆材を布状被覆材３として使用するなど、布状被覆材３は合成、張り合わせした布状体としても良い。これにより内部が柔らかく弾力が有り、吸水性を向上させる効果を高める事ができる。
【００４２】
＜第３の実施形態＞
図６は、本発明の第３の実施形態に係る耳掻き具の一例を示す図である。
【００４３】
袋状被覆体４は芯材２の先端側部を覆い、周囲を封じ部６で封じると共に、芯材２とは止め部７で接着して封じている。
【００４４】
また、袋状被覆体４は芯材２に密着して接合させると共に、周囲を広めに形成し、先端付近中央に凹み部を設けた匙部２０や、先端付近中央に凹み部を設け、先端を二股にした、二股匙部３０を設けたものを示し、耳垢を掻き取りやすくする。
【００４５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００４６】
例えば、実施形態１又はその変形例に係る耳掻き具は、さらに、左右両端を互いに反対方向に捻じられた状態に形成されてもよい。図７に示す耳掻き具は、実施形態１の変形例１に係る耳掻き具を捻った状態に形成したものである。これによって、耳掻き部を外耳道内で回転させて外耳道壁周辺の耳垢を掻き出すという本願に係る耳掻き具の耳掻き作業を容易に連想させるとともに、意匠性を向上させることができる。
【符号の説明】
【００４７】
１：耳掻き具
２：芯材
３：布状被覆材
４：袋状被覆体
５：封じ糸
６：封じ部
７：止め部
８：緩衝部
９：取り出し穴
１０：耳掻き部
２０：匙部
３０：二股匙部
【図１】
2016202344.tif 000003
【図２】
2016202344.tif 000004
【図３】
2016202344.tif 000005
【図４】
2016202344.tif 000006
【図５】
2016202344.tif 000007
【図６】
2016202344.tif 000008
【図７】
2016202344.tif 000009
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
耳掻き部を有する耳掻き具において、
前記耳掻き具は、棒状の芯材と、前記芯材を覆う袋状被覆体と、を含み、
前記袋状被覆体は、布状被覆材によって形成され、
前記袋状被覆体は、平面状の封じ部を有し、
前記耳掻き部は、前記袋状被覆体の末端付近に形成された前記封じ部で構成されている
ことを特徴とする耳掻き具。
【請求項２】
請求項１に記載の耳掻き具において、
前記封じ部は、前記布状被覆材を、縫合、接着及び溶着のいずれか、又はこれらの組合せによって封じられて形成された
ことを特徴とする耳掻き具。
【請求項３】
請求項１又は２に記載の耳掻き具において、
前記袋状被覆体は、二枚の前記布状被覆材で、または、一枚の前記布状被覆材で形成された
ことを特徴とする耳掻き具。
【請求項４】
請求項１〜３のいずれか一項に記載の耳掻き具において、
前記封じ部の一部または全部は、前記布状被覆材が内側に折り返された状態で形成された
ことを特徴とする耳掻き具。
【請求項５】
請求項１〜４のいずれか一項に記載の耳掻き具において、
前記袋状被覆体の一端が前記芯材に固定されている
ことを特徴とする耳掻き具。
【請求項６】
請求項１〜５のいずれか一項に記載の耳掻き具において、
前記布状被覆材は、マイクロファイバー、紙、不織布のいずれか、または、これらの組合せである
ことを特徴とする耳掻き具。
【請求項７】
請求項１〜６のいずれか一項に記載の耳掻き具において、
前記袋状被覆体は、両端が互いに反対方向にねじられた
ことを特徴とする耳掻き具。
【請求項８】
請求項１〜７のいずれか一項に記載の耳掻き具において、
前記袋状被覆体は、前記芯材の全体を覆っている
ことを特徴とする耳掻き具。